(57)【特許請求の範囲】
【請求項１】
入力された制御信号に応じた光出力で電気的な光源を点灯させる点灯回路と、人体を検出する人感センサと、周囲の明るさを検出する明るさセンサとに接続され、前記人感センサによって人体が検出されてから前記人感センサによって人体が検出されない状態の継続時間が遅れ時間に達するまでの期間である存在期間には前記光源を点灯させるような前記制御信号を前記点灯回路に入力する制御部と、
設定の変更の指示が入力される設定入力部とを備え、
前記制御部は、前記設定入力部への入力に応じて、動作モードを、前記光源の点灯開始直後の光出力の上昇速度を比較的に低くする低速切換モードと、前記低速切換モードよりも前記上昇速度が高い高速切換モードのいずれかに切り換えるものであって、前記動作モードが前記高速切換モードであるときには前記明るさセンサの出力を前記制御信号に反映させず、
前記設定入力部は、前記動作モードの設定の変更の指示のほか、前記光源の種別が蛍光灯であるか否かの設定の入力も受け付けるものであって、
前記制御部は、前記設定入力部において前記光源の種別が蛍光灯ではないと設定されている期間には、前記動作モードが前記高速切換モードであっても、前記明るさセンサの出力を前記制御信号に反映させ、
前記制御部は、前記明るさセンサの出力を前記制御信号に反映させる場合、前記明るさセンサによって検出される明るさを所定の目標値に保つように前記制御信号を生成することを特徴とする照明制御装置。
【発明の詳細な説明】
【技術分野】
【０００１】
本発明は、照明制御装置に関するものである。
【背景技術】
【０００２】
従来から、電気的な光源を点灯させる点灯回路と、人体を検出する人感センサとに接続され、人感センサの出力に応じて点灯回路を制御する照明制御装置が提供されている（例えば、特許文献１参照）。人感センサの出力に応じた制御としては、光源が消灯された状態で人感センサによって人体が検出されたときに光源の点灯を開始させるものが一般的である。
【０００３】
さらに、上記の光源によって照明される箇所の明るさを検出する明るさセンサに接続され、明るさセンサによって検出される明るさを一定に維持するように点灯回路をフィードバック制御する照明制御装置も提供されている。
【先行技術文献】
【特許文献】
【０００４】
【特許文献１】特開平１１−２０４２７３号公報
【発明の概要】
【発明が解決しようとする課題】
【０００５】
上記の光源として蛍光灯が用いられた場合、蛍光灯は光束が温度に依存し、且つ、点灯開始直後（すなわち放電開始直後）には温度が急激に上昇するから、点灯開始直後に上記のようなフィードバック制御で光束が不安定となる場合があった。
【０００６】
本発明は、上記事由に鑑みて為されたものであり、その目的は、光源の光束が不安定になりにくい照明制御装置を提供することにある。
【課題を解決するための手段】
【０００７】
本発明の照明制御装置は、入力された制御信号に応じた光出力で電気的な光源を点灯させる点灯回路と、人体を検出する人感センサと、周囲の明るさを検出する明るさセンサとに接続され、前記人感センサによって人体が検出されてから前記人感センサによって人体が検出されない状態の継続時間が遅れ時間に達するまでの期間である存在期間には前記光源を点灯させるような前記制御信号を前記点灯回路に入力する制御部と、設定の変更の指示が入力される設定入力部とを備え、前記制御部は、前記設定入力部への入力に応じて、動作モードを、前記光源の点灯開始直後の光出力の上昇速度を比較的に低くする低速切換モードと、前記低速切換モードよりも前記上昇速度が高い高速切換モードのいずれかに切り換えるものであって、前記動作モードが前記高速切換モードであるときには前記明るさセンサの出力を前記制御信号に反映させず、前記設定入力部は、前記動作モードの設定の変更の指示のほか、前記光源の種別が蛍光灯であるか否かの設定の入力も受け付けるものであって、前記制御部は、前記設定入力部において前記光源の種別が蛍光灯ではないと設定されている期間には、前記動作モードが前記高速切換モードであっても、前記明るさセンサの出力を前記制御信号に反映させ、前記制御部は、前記明るさセンサの出力を前記制御信号に反映させる場合、前記明るさセンサによって検出される明るさを所定の目標値に保つように前記制御信号を生成することを特徴とする。
【発明の効果】
【０００９】
本発明によれば、高速切換モードで明るさセンサの出力が動作に反映される場合に比べ、点灯開始直後の光源の光束が不安定になりにくい。
【図面の簡単な説明】
【００１０】
【図１】（ａ）（ｂ）はそれぞれ本発明の実施形態において外光がない状態での光出力の変化の一例を示し、（ａ）は低速切換モードを示し、（ｂ）は高速切換モードを示す。
【図２】同上の使用状態の一例を示す説明図である。
【図３】同上を示すブロック図である。
【発明を実施するための形態】
【００１１】
以下、本発明を実施するための最良の形態について、図面を参照しながら説明する。
【００１２】
図２及び図３に示すように、本実施形態の照明制御装置１は、複数個（図３では１個のみ図示）の照明器具２と複数個（図３では１個のみ図示）のセンサ装置３と有線リモコン４とに、それぞれ例えば２線式の信号線５を介して接続して用いられる。上記の各装置１〜４の電源としては例えば商用電源が用いられる。
【００１３】
各照明器具２は、それぞれ、電気的な光源２１と、信号線５に接続された通信回路２３と、信号線５と通信回路２３とを介して入力された制御信号に示された光出力に合わせた光束で光源２１を点灯させる点灯回路２２とを備える。制御信号としては、例えば、指示する光出力に応じたオンデューティとされた矩形波（いわゆるＰＷＭ信号）や、指示する光出力に応じた電圧値の電圧信号などが考えられる。通信回路２３は、点灯回路２２と信号線５との間でインピーダンス整合やノイズ除去等を行う回路であり、このような通信回路２３は周知の電子回路によって実現することができる。光源２１としては例えば蛍光灯や発光ダイオードを用いることができる。また、光源２１として蛍光灯が用いられる場合には点灯回路２２としては周知の電子安定器を用いることができ、光源２１として発光ダイオードが用いられる場合には点灯回路２２として周知の直流電源回路を用いることができる。さらに、光源２１の光出力の変更は、光源２１への入力電力の変更や、点滅として人の目に認識されない程度に十分に短い周期での間欠点灯のオンデューティの変更など、光源２１の種別に応じた適宜の手段で実現することができる。上記いずれの場合にも照明器具２は周知技術で実現可能であるので、詳細な図示並びに説明は省略する。
【００１４】
照明制御装置１は、人体を検出する人感センサ６と、周囲の明るさを検出する明るさセンサ７とを備える。人感センサ６は、所定の検出範囲内における人体の有無を判定するとともに判定結果に応じた信号レベルの電気信号を生成するものであり、例えば焦電センサを用いて周知技術で実現することができる。また、明るさセンサ７は、入射した光量に応じた電気信号を生成するものであり、例えばフォトダイオードを用いて周知技術で実現することができる。
【００１５】
センサ装置３は、照明制御装置１が備えるものと同様のセンサ（人感センサ６又は明るさセンサ７）と、該センサの出力を信号線５を介して照明制御装置１へ送信する通信回路（図示せず）とを備える。図２のように複数個のセンサ装置３が共通の信号線５に接続される場合、上記の通信回路は周知の多重伝送技術に対応したものとされることが望ましい。
【００１６】
照明制御装置１やセンサ装置３は、それぞれ天井面（図示せず）に埋込配設されるものであり、人感センサ６の検出範囲は照明制御装置１やセンサ装置３の下方に形成され、明るさセンサ７は下方から入射する光量に応じた出力を生成する。
【００１７】
有線リモコン４は、操作入力を受け付ける押釦等の操作手段を有し、操作手段に受け付けられた操作入力に応じた電気信号を信号線５を介して照明制御装置１に送信するものである。このような有線リモコン４は周知技術で実現可能であるので、詳細な図示並びに説明は省略する。有線リモコン４は１個のみ図示しているが、多重伝送技術や複数の信号線５を用いて、複数個の有線リモコン４を照明制御装置１に接続してもよい。また、専用の信号線５で接続される場合、多重伝送のための回路が不要となるので、有線リモコン４としては単純なスイッチを用いることもできる。
【００１８】
さらに、照明制御装置１は、無線リモコン８との間での無線信号の送受信も可能となっている。無線リモコン８は、操作入力を受け付ける押釦等の操作手段を有し、操作手段に受け付けられた操作入力に応じた無線信号を送信するものである。上記の無線信号の媒体としては、例えば、アンテナにより送受信される電波や、発光ダイオードなどの発光素子で送信されフォトダイオード等の受光素子で受信される光信号を用いることができる。無線リモコン８の電源としては電池が用いられる。上記のような無線リモコン８は周知技術で実現可能であるので、詳細な図示並びに説明は省略する。
【００１９】
また、照明制御装置１は、上記の人感センサ６と明るさセンサ７とに加え、信号線５を介して各照明器具２に接続された制御出力部１１と、信号線５を介して有線リモコン４に接続された指示入力部１２と、信号線５を介して各センサ装置３に接続されたセンサ接続部１３と、無線リモコン８からの無線信号を受信する設定入力部１４と、上記各部からの入力に応じた制御信号を生成し制御出力部１１を介して照明器具２へ送信する制御部１５とを備える。上記各部はいずれも周知の電子回路で実現可能であるので、詳細な図示並びに説明は省略する。
【００２０】
以下、制御部１５の動作であって人感センサ６の出力と明るさセンサ７の出力とに応じた動作を具体的に説明する。なお、制御部１５は、上記動作のほか、有線リモコン４等からの入力に応じて、人感センサ６の出力や明るさセンサ７の出力に関わらず光源２１を一定の光出力で点灯または消灯させる動作も可能となっている。また、各照明器具２は、例えば接続された信号線５毎に、予め、それぞれ少なくとも１個ずつの人感センサ６と明るさセンサ７とに対応付けられており、その対応関係は制御部１５に記憶されている。上記の対応関係としては、例えば、各照明器具２について、それぞれ、最も近くに配置された人感センサ６と明るさセンサ７とが対応付けられる。さらに、制御部１５は、人感センサ６や明るさセンサ７の出力を、それぞれ対応付けられた照明器具２の制御にのみ反映させる。ただし、以下では、簡単のために、照明器具２と人感センサ６と明るさセンサ７とが１個ずつである場合について説明する。
【００２１】
制御部１５は、図１（ａ）（ｂ）に示すように、人感センサ６によって人体が検出された時刻ｔ１から人感センサ６によって人体が検出されない状態が所定の遅れ時間Ｔｓに達した時刻ｔ２までの期間（以下、「存在期間」と呼ぶ。）Ｐ１には光源２１を点灯させる。なお、図中においてタイミングｔ３は、人体が検出される状態から人体が検出されない状態に人感センサ６が切り替わったタイミングのうち、最も遅いタイミングを示す。
【００２２】
また、人感センサ６によって人体が検出されない状態が上記の遅れ時間Ｔｓに達した後（又は電源が投入された後）に人感センサ６によって人体が検出されるまでの期間（以下、「不在期間」と呼ぶ）Ｐ２には光源２１を消灯させる。なお、不在期間Ｐ２の動作としては、光源２１を消灯させる代わりに、存在期間Ｐ１よりも低い光出力（存在期間Ｐ１にとりうる光出力の最低値以下の光出力）で光源２１を点灯させるものとしてもよい。
【００２３】
ここで、制御部１５は、設定入力部１４への入力に応じて、存在期間Ｐ１の開始時（つまり光源２１の点灯開始時）の光源２１の光出力の上昇速度と、存在期間の終了時（つまり光源２１の点灯終了時）の光源２１の光出力の低下速度との設定を、それぞれ変更する。具体的には、制御部１５は、設定入力部１４への入力に応じて、動作モードを、低速切換モードと、低速切換モードよりも上記の上昇速度と低下速度とがそれぞれ高い高速切換モードのいずれかに切換可能となっている。
【００２４】
低速切換モードでの上記の上昇速度は、例えば、光出力が最大値に達するまでにかかる時間（以下、「上昇時間」と呼ぶ。）Ｔｕが４秒となるような速度とされる。また、低速切換モードでの上記の低下速度は、例えば光出力が上記の最大値である状態から光出力の低下が完了するまでにかかる時間（以下、「低下時間」と呼ぶ。）Ｔｄが３０秒となるような速度とされる。
【００２５】
一方、高速切換モードでの上昇速度は、例えば、可能な限り高い速度とされる。また、高速切換モードでの低下速度は、例えば、低下時間Ｔｄが３秒となるような速度とされる。
【００２６】
例えば、制御信号が矩形波であって照明器具２が入力された制御信号のオンデューティに応じた光出力で光源２１を点灯させるものである場合、光出力の漸次的な変化は、制御部１５が生成する制御信号のオンデューティを複数回にわたって少しずつ変化させることで達成される。また、上昇速度や低下速度の変更は、１回当りのオンデューティの変化幅の大きさの変更並びにオンデューティの変化回数の変更や、オンデューティ変化の時間間隔の変更によって達成される。
【００２７】
また、本実施形態では、明るさセンサ７の出力を動作に反映させるか否かが、動作モードに応じて切り替えられる。具体的には、制御部１５は、低速切換モードでは明るさセンサ７の出力を動作に反映させ、高速切換モードでは明るさセンサ７の出力を動作に反映させない。
【００２８】
明るさセンサ７の出力を動作に反映させる場合、存在期間Ｐ１中であって開始直後でも終了直前でもない期間には、制御部１５は、明るさセンサ７によって検出される明るさを所定の目標値に保つように制御信号を生成する。つまり、明るさセンサ７によって検出される明るさが上記の目標値よりも高いときには光出力を低下させる制御信号が生成され、上記の明るさが上記の目標値よりも低いときには光出力を上昇させる制御信号が生成される。上記のように明るさセンサ７の出力を用いれば、照度を確保しながらも、照明器具２以外の太陽などの光源の光（いわゆる外光）が存在するときには光出力を低下させて消費電力を抑えることができる。ここで、存在期間Ｐ１の開始後に光出力が安定するまでの時間は、外光が少ないほど長くなる。また、遅れ時間Ｔｓは、一定の基本遅れ時間Ｔｓ１と、上記の低下速度での光出力の低下が完了するまでの時間（外光がないときは低下時間Ｔｄ）との和であり、やはり外光が少ないほど長くなる。
【００２９】
上記構成によれば、高速切換モードでは、明るさセンサ７の出力が動作に反映されないことで、少なくとも、光出力を低下させる制御は行われない。従って、高速切換モードで明るさセンサ７の出力が動作に反映される場合に比べ、点灯開始直後の光源２１の光束が不安定になりにくい。
【００３０】
ところで、上記のように点灯開始直後に光束が不安定となる可能性があるのは光源２１として蛍光灯が用いられている場合のみであり、光源２１として発光ダイオード等が用いられている場合には上記のような問題は発生しない。そこで、設定入力部１４が、光源２１の種別が蛍光灯であるか否かの設定の入力も受け付け、制御部１５が、設定入力部１４において光源２１の種別が蛍光灯ではないと設定されている期間には、動作モードが高速切換モードであっても、明るさセンサ７の出力を上記のように制御信号に反映させるようにしてもよい。この場合、光源２１の種別が蛍光灯であって且つ高速切換モードであるときのみ明るさセンサ７の出力が制御信号に反映されず、それ以外の場合には明るさセンサ７の出力が制御信号に反映されることになる。
【００３１】
また、設定入力部１４としては、上記のように無線リモコン８からの無線信号を受信するものに代えて又は加えて、ディップスイッチ等の操作手段（図示せず）により直接の操作入力を受け付けるものや、信号線５が接続されるものを設けてもよい。すなわち、設定入力部１４への入力は、無線信号によるものであっても、電気信号によるものであっても、直接の操作入力によるものであってもよい。
【符号の説明】
【００３２】
１  照明制御装置
６  人感センサ
７  明るさセンサ
１４  設定入力部
１５  制御部
２１  光源
２２  点灯回路
【図１】
0005870289.tif 000002
【図２】
0005870289.tif 000003
【図３】
0005870289.tif 000004